(57)【要約】【課題】問題文があらかじめ印刷されていて、それに対する解答を直接書き込んで演習を行う書き込み式問題用紙及び問題集に関する。【解決手段】問題文３１があらかじめ印刷された問題表示部３０と問題表示部の下部３０ｂに問題文の解答を記入するための解答欄部４０が形成された演習欄部２０を有する枚葉物１２からなり、演習欄部を有する枚葉物は縦方向に二分割され左分割部１４と右分割部１５とを有し、演習欄部は左右の両分割部のそれぞれに縦方向に上方から下方へ複数印刷されているとともに、解答欄部には問題文の解答を記入するための罫線Ｌがあらかじめ印刷されている。【選択図】図１
0003202462.tif 000002
【実用新案登録請求の範囲】
【請求項１】
問題文があらかじめ印刷された問題表示部と前記問題表示部の下部に前記問題文の解答を記入するための解答欄部が形成された演習欄部を有する枚葉物からなり、
前記演習欄部を有する前記枚葉物は縦方向に二分割され左分割部と右分割部とを有し、前記演習欄部は前記左右の両分割部のそれぞれに縦方向に上方から下方へ複数印刷されているとともに、前記解答欄部には前記問題文の解答を記入するための罫線があらかじめ印刷されている
ことを特徴とする書き込み式問題用紙。
【請求項２】
前記演習欄部を有する前記枚葉物に、前記演習欄部に対応した演習内容を示した演習内容表示部が印刷されている請求項１に記載の書き込み式問題用紙。
【請求項３】
前記演習欄部を有する前記枚葉物に、前記解答欄部における解答方法を例示した解答例示部が印刷されている請求項１または２に記載の書き込み式問題用紙。
【請求項４】
請求項１ないし３のいずれか１項に記載の書き込み式問題用紙を複数備えた冊子状物からなる書き込み式問題集。
【考案の詳細な説明】
【技術分野】
【０００１】
この考案は問題文があらかじめ印刷されていて、それに対する解答を直接書き込んで演習を行う書き込み式問題用紙及び問題集に関する。
【背景技術】
【０００２】
例えば、小学校や中学校等の学科において、算数や数学の他、国語や英語などの問題の解き方を学習させるために、複数の問題が掲載された問題用紙や問題集を学生に譲渡し、演習させたりすることがある。このようなときに用いられる問題用紙や問題集として、あらかじめ問題文が印刷されていて、学生が直接書き込んで演習する問題用紙や問題集がある（例えば、特許文献１参照。）。学生に、このような問題用紙や問題集に掲載された問題を演習させることによって、学習指導の一助となっている。
【先行技術文献】
【特許文献】
【０００３】
【特許文献１】実用新案登録第３０９７５２０号公報
【考案の概要】
【考案が解決しようとする課題】
【０００４】
ところで、この種書き込み式問題集等においては、問題に対する解答を書き込むスペースが限られているのが通常である。例えば、計算問題や文章問題の演習を行う場合等に、使用者である学生の書き込んだ文字が大きすぎたりすると用意された解答のスペースには収まりきらずにはみ出したりして書きにくくなったり、最後まで問題を解くことができなくなったりして解答を途中でやめてしまったりすることがあった。また、解答がはみ出したり途中までしか書かれていなかったりすると、採点や添削等を行う教師等の負担も増加してしまうこともあった。
【０００５】
この考案は上記の点に鑑み、使用者が読みやすい解答を容易に書き込むことができる書き込み式問題用紙及び問題集を提供するものである。この考案は、従来の書き込み式問題用紙等の演習問題の見易さを維持しつつ、解答の書き込みやすさを向上させ、さらに、教師等にも解答を見やすくし添削等を容易とすることができる。
【課題を解決するための手段】
【０００６】
すなわち、請求項１の考案は、問題文があらかじめ印刷された問題表示部と前記問題表示部の下部に前記問題文の解答を記入するための解答欄部が形成された演習欄部を有する枚葉物からなり、前記演習欄部を有する前記枚葉物は縦方向に二分割され左分割部と右分割部とを有し、前記演習欄部は前記左右の両分割部のそれぞれに縦方向に上方から下方へ複数印刷されているとともに、前記解答欄部には前記問題文の解答を記入するための罫線があらかじめ印刷されていることを特徴とする書き込み式問題用紙に係る。
【０００７】
請求項２の考案は、前記演習欄部を有する前記枚葉物に、前記演習欄部に対応した演習内容を示した演習内容表示部が印刷されている請求項１に記載の書き込み式問題用紙に係る。
【０００８】
請求項３の考案は、前記演習欄部を有する前記枚葉物に、前記解答欄部における解答方法を例示した解答例示部が印刷されている請求項１または２に記載の書き込み式問題用紙に係る。
【０００９】
請求項４の考案は、請求項１ないし３のいずれか１項に記載の書き込み式問題用紙を複数備えた冊子状物からなる書き込み式問題集に係る。
【考案の効果】
【００１０】
請求項１の考案に係る書き込み式問題用紙によると、問題文があらかじめ印刷された問題表示部と前記問題表示部の下部に前記問題文の解答を記入するための解答欄部が形成された演習欄部を有する枚葉物からなり、前記演習欄部を有する前記枚葉物は縦方向に二分割され左分割部と右分割部とを有し、前記演習欄部は前記左右の両分割部のそれぞれに縦方向に上方から下方へ複数印刷されているとともに、前記解答欄部には前記問題文の解答を記入するための罫線があらかじめ印刷されているものであるから、使用者は罫線に沿って解答を書き込むことによって、文字の大きさがおおよそ規制されつつ、まっすぐに書き込むことができ、読みやすい解答の作成、書き込みが容易となる。また、読みやすい解答が書き込まれることにより、添削等も容易となる。
【００１１】
請求項２の考案は、請求項１の考案において、前記演習欄部を有する前記枚葉物に、前記演習欄部に対応した演習内容を示した演習内容表示部が印刷されているものであるから、使用者は、演習内容を一目で把握することができ、目的の演習内容が印刷された用紙が見つけやすくなる。
【００１２】
請求項３の考案は、請求項１または２の考案において、前記演習欄部を有する前記枚葉物に、前記解答欄部における解答方法を例示した解答例示部が印刷されているものであるから、使用者は問題を解くためのヒントや解き方を確認することができ、効率的な演習を行うことができる。
【００１３】
請求項４の考案は、請求項１ないし３のいずれか１項に記載の書き込み式問題用紙を複数備えた冊子状物からなる書き込み式問題集であることから、課題や演習ノートとして用いることができる。
【図面の簡単な説明】
【００１４】
【図１】この考案の実施例である書き込み式問題用紙を示す正面図である。
【図２】図１の考案を複数備えた書き込み式問題集を示す斜視図である。
【考案を実施するための形態】
【００１５】
図１に示すこの考案の実施例に係る書き込み式問題用紙１０は、請求項１に係る考案として規定したように、問題表示部３０と解答欄部４０が形成された演習欄部２０を有する枚葉物１２からなる。演習欄部２０を有する枚葉物１２は縦方向に二分割され左分割部１４と右分割部１５とを有する。演習欄部２０は左右の両分割部１４，１５のそれぞれに縦方向に上方から下方へ複数印刷されているとともに、解答欄部４０には問題文３１の解答を記入するための罫線Ｌがあらかじめ印刷されている。学生等の使用者は、問題表示部３０に示される問題文３１の解答を、解答欄部４０に記入することにより演習を行う。
【００１６】
図１に示すように、演習欄部２０は、問題文３１があらかじめ印刷された問題表示部３０と該問題表示部３０の下部に問題文３１の解答を記入するための解答欄部４０が形成されてなる。演習欄部２０は、枚葉物１２を縦方向に二分割した左分割部１４と右分割部１５の両分割部それぞれに縦方向に上方から下方に複数印刷されている。左右分割部１４，１５が形成されることにより、１枚の用紙に掲載することができる問題の数は増す。解答を記入する場合でも余白が多くなりすぎず、紙面を有効に活用することができる。また、後述する書き込み式問題用紙１０を複数備えた書き込み式問題集１１にあっては、書き込み式問題集全体の頁数の圧縮は可能となり経済的である。
【００１７】
図１に示すように、問題表示部３０には、演習内容に沿った問題文３１が印刷されている。例えば、数学や算数では、図１及び２に示すような計算問題３１Ｑや、図示しないが文章問題や図形問題等である。他にも、国語や英語では漢字や単語の書き取り問題等もある。
【００１８】
解答欄部４０は、問題表示部３０の下部３０ｂに形成されており、使用者に解答を記入させる欄である。解答欄部４０には、問題文３１の解答を記入するための罫線Ｌがあらかじめ印刷されている。使用者は、罫線Ｌに沿って書き込むことによって、図１に示す解答の記入例Ａのようにまっすぐに文字を書くことができるようになる。そのため、読みやすい解答の作成が容易となる。また、添削や採点等を行うときに、記入された解答が読みやすいと添削等がやりやすくなる。加えて、罫線Ｌの幅Ｌｗによって、記入する文字の大きさがおおよそ規制されるため、書き込む文字が大きくなりすぎて最後まで解答を書けなくなってしまったり、解答欄をはみ出して記入して解答が読みにくくなってしまうことを防ぐことができる。罫線Ｌの幅Ｌｗは、８ｍｍや１０ｍｍ等、使用者の年齢等に応じて適宜決定される。
【００１９】
また、解答欄部４０は、問題文３１の解答に必要な記入量に合わせた分量のスペース４１が確保されていて、罫線Ｌはこれに対応した数だけ印刷されている。これによって、使用者は罫線Ｌに沿って解答を記入するだけで容易に見やすい解答を作成することができる。例えば、図１に示す解答の記入例Ａの計算式は２行で、答えは１行であるため、罫線Ｌは３本印刷されている。この書き込み式問題用紙１０によって演習を行うことにより、使用者は見やすい解答の書き方を日常的に習得することができるため、非常に有用である。
【００２０】
請求項２の考案に規定され、図１に示されるように、演習欄部２０を有する枚葉物１２には、演習欄部２０に対応した演習内容を示した演習内容表示部５０が印刷されている。演習内容表示部５０は、演習欄部２０の問題表示部３０に印刷された問題文３１の演習内容を簡潔に示した見出しのような文言とするなど、演習内容がわかりやすく記載されるのが良い。使用者は、演習内容を一目で把握することができ、目的の演習内容が印刷された用紙を見つけやすくなる。例えば、その用紙に印刷された演習内容が文字式と数の掛け算、割り算の演習を目的としたものである場合は、図１の演習内容表示部５０に示すように、「文字式と数の乗法、除法」のような表記とするのがよい。
【００２１】
また、請求項３の考案に規定され、図１に示されるように、演習欄部２０を有する枚葉物１２には、解答欄部４０における解答方法を例示した解答例示部６０が印刷されている。解答例示部６０に印刷される例としては、図２に示す解答例示部６０のように、演習内容である「文字式と数の乗法・除法」の解き方を解法のポイントとして例示することにより、使用者は問題を解くためのヒントや解き方を確認することができ、効率的な演習を行うことができる。
【００２２】
請求項４の考案に規定され、図２に示されるように、書き込み式問題集１１は複数の書き込み式問題用紙１０を複数備えた冊子状物１１からなる。問題表示部３０と解答欄部４０とを有する演習欄部２０が複数印刷されている頁と、問題の解説や解法のポイント等が印刷されている頁等も綴じられることがある。演習問題の難易度や学習範囲や目的に応じて、問題数や頁、解説等の頁は適宜調整される。書き込み式問題集１１は学生等の使用者に配布されることで、課題や授業等で用いられる。また、前述のとおり、添削等がやりやすくなるため、学生等の理解度の把握が容易となる。
【００２３】
以上の通り、この考案の書き込み式問題用紙及び問題集１０，１１では、解答欄部４０に罫線Ｌがあらかじめ印刷されていることによって、使用者は罫線Ｌに沿って解答を書き込むことで文字の大きさがおおよそ規制されつつ、まっすぐに解答を書き込むこととなる。このため、読みやすい解答を容易に作成することができるようになった。さらに、記入された解答が読みやすくなることから、添削等も容易となる。また、普段から読みやすい解答の書き方が意識づけられ、使用者に読みやすい解答の作成方法を習得させることができる。また、図示しないが、書き込み式問題用紙及び問題集１０，１１の解答欄部４０に模範解答等があらかじめ印刷されている解答用紙及び解答集があれば、添削等がさらに容易となることが考えられる。
【符号の説明】
【００２４】
１０    書き込み式問題用紙
１１    書き込み式問題集
１２    枚葉物
１３    冊子状物
１４    左分割部
１５    右分割部
２０    演習欄部
３０    問題表示部
３１    問題文
４０    解答欄部
５０    演習内容表示部
６０    解答例表示部
Ｌ    罫線
【図１】
0003202462.tif 000003
【図２】
0003202462.tif 000004